(57)【要約】【課題】手芸教室や自宅等において誰でも手軽に、かつ本格的ステンドグラスのような出来栄えに形成出来る、ステンドグラス風アートの作成キットを提供する。【解決手段】ステンドグラス模様の図柄が印刷された型紙２０と、透明体（３０,３０’）を含むステンドグラス風アートの作成対象物と、底面に粘着材が塗布された可撓性のリード５０と、前記図柄に対応した絵模様が印刷されたプリントフィルム４０（又は好みの色の着色フィルム４０’を型取ったもの）を備えたステンドグラス組み立てキットであって、型紙２０に印刷された図柄中には、それぞれ複数に分割されて図示された前記図柄の輪郭２１上にリード５０を貼り付ける手順（丸番号２２とマーク２３から２６）が印刷されている。【選択図】  図１
0003121559.tif 000002
【実用新案登録請求の範囲】
【請求項１】
ステンドグラス模様の図柄が印刷された型紙と、
裏面に前記型紙を密着できる形状のガラス製又はプラスチック製の透明体と、
可撓性のリードと、
前記図柄に対応した絵模様が印刷されたプリントフィルムを備え、
前記リードの底面及びプリントフィルムの裏面には、離型紙を剥離することで露呈する粘着層が形成され、前記型紙に印刷された図柄中には、複数に分割されて図示された図柄の輪郭に前記リードを貼り付ける手順が印刷されていることを特徴とするステンドグラス風アート作成キット。
【請求項２】
ステンドグラス模様の図柄が印刷された型紙と、
裏面に前記型紙を密着できる形状のガラス製又はプラスチック製の透明体と、
可撓性のリードと、
色の異なる複数のフィルムを備え、
前記リードの底面及び色の異なる複数のフィルムの一面には、離型紙を剥離することで露呈する粘着層が形成され、前記型紙に印刷された図柄中には、複数に分割されて図示された図柄の輪郭に前記リードを貼り付ける手順が印刷されていることを特徴とするステンドグラス風アート作成キット。
【請求項３】
ステンドグラス模様の図柄が印刷された紙と、
可撓性のリードと、
前記図柄に対応した絵模様が印刷されたプリントフィルムを備え、
前記リードの底面及びプリントフィルムの裏面には、離型紙を剥離することで露呈する粘着層が形成され、前記紙に印刷された図柄中には、複数に分割されて図示された図柄の輪郭に前記リードを貼り付ける手順が印刷されていることを特徴とするステンドグラス風アート作成キット。
【請求項４】
ステンドグラス模様の図柄が印刷された紙と、
可撓性のリードと、
色の異なる複数のフィルムを備え、
前記リードの底面及び色の異なる複数のフィルムの一面には、離型紙を剥離することで露呈する粘着層が形成され、前記型紙に印刷された図柄中には、複数に分割されて図示された図柄の輪郭に前記リードを貼り付ける手順が印刷されていることを特徴とするステンドグラス風アート作成キット。
【請求項５】
前記リードは、その横断面が半円形状に形成された金属線材により構成されることを特徴とする請求項１から４のうちいずかに記載のステンドグラス風アート作成キット。
【考案の詳細な説明】
【技術分野】
【０００１】
この考案は、室内の装飾等に用いられるステンドグラス風アートを作成するためのキットに関する。
【背景技術】
【０００２】
従来のステンドグラスを模した装飾技術（以降はステンドグラス風アートという）には、例えば下記文献１及び２に示されるものがある。特許文献１のステンドグラス風アートは、図９（ａ）に示すように、模様形状に区画形成した保持枠１に、保持枠１の模様形状に対応して形成した複数の装飾板片３を各区各部に嵌め込み、保持枠１に挟持する事により作成されていた。
【０００３】
また、特許文献２のステンドグラス風アートは、図１０（ａ）に示すように、各種形状に型取りした着色樹脂板３ａを多数組み合わせたもの又は図１０（ｂ）に示すように、絵模様を描出させた着色フィルム６を透明板（図示せず）の上面に接着したものを保持枠２に固定することにより作成されていた。
【０００４】
【特許文献１】実開昭５９−２４３９９
【特許文献２】特開昭６３−２４６２９９
【考案の開示】
【考案が解決しようとする課題】
【０００５】
特許文献１に係るステンドグラス風アートは、装飾板片３を保持枠１の区画の形状に型取りする必要がある。しかし、装飾板片に用いられる樹脂等の素材の板圧が厚い場合や硬い場合には手軽に型取りを出来ないことがあった。一方、装飾板片３は、図９（ｂ）のII−II断面図に示すとおり、一対の保持枠（１，２）と保持枠間の嵌合用部材４により挟持される構成であった。従って、保持枠（１，２）と嵌合用部材４は、構造が複雑で加工に一定の技術が必要となるため、素材を多少加工すれば誰でも簡単に作成できる類のものとは言えず、高い製造コストが必要となっていた。以上の点から、特許文献１のステンドグラス風アートは、誰もが手軽に作成できるものとは言えない点で問題があった。
【０００６】
また、特許文献２に係るステンドグラス風アートは、特許文献１と比べ、模様形状に区画形成した保持枠が不要である点で作成の手間は省ける。しかし、着色樹脂板３ａを利用する場合、素材により型取りが手軽にできない場合がある点は、特許文献１のものと同様である。この点は、絵模様を描出させた着色フィルム６を利用すれば、型取りの手間や困難性が解消出来るとは言える。
【０００７】
しかし、前記絵模様は、境界となる輪郭が描線で描かれているため、保持枠により境界が形成される特許文献１のステンドグラス風アートやコパーテープとハンダ付けにより輪郭が形成される実際のステンドグラスに比べると立体感が無く、強調感に欠けると言える。従って、ステンドグラスらしさに欠けるものと見られることが考えられる。
【０００８】
そこで本考案では、上記問題に鑑み、手芸教室や自宅等において誰でも手軽に、かつ本格的なステンドグラスのような出来栄えに作成出来る、ステンドグラス風アートの作成キットを提供する。
【課題を解決するための手段】
【０００９】
前述の問題を解決するため、請求項１の考案は、ステンドグラス模様の図柄が印刷された型紙と、裏面に前記型紙を密着できる形状のガラス製又はプラスチック製の透明体（平面又は立体形状の物を含む。）と、可撓性のリードと、前記図柄に対応した絵模様が印刷されたプリントフィルムを備え、前記リードの底面及びプリントフィルムの裏面には、離型紙を剥離することで露呈する粘着層が形成され、前記型紙に印刷された図柄中には、複数に分割されて図示された図柄の輪郭に前記リードを貼り付ける手順が印刷されている。
。
【００１０】
（作用）請求項１の考案は以下の作用を奏する。即ち、（ａ）ステンドグラス模様の型取りは、印刷されたプリントフィルムを、模様の輪郭にそって切り取る事により行われ、かつ前記リードが、底面の粘着層により、透明体上に貼付された型取り後のプリントフィルムの輪郭上に貼付されることにより、ステンドグラス模様の輪郭を強調する。（ｂ）ステンドグラス風アート作成キットの利用者は、透明体の裏面に印刷された型紙を密着させた状態で、型紙に印刷された模様の形状及びリードの貼り付け手順を透明体越しに確認しつつ、型取りしたプリントフィルムとリードを透明体に貼付していく。（ｃ）リード同士が交差する箇所であって、リードを貼付していく順番の関係で『片方のリードを持ち上げた状態で、もう片方のリードをその下にもぐりこませる』必要がある一部の箇所では、型紙に記載された手順に従って、前記リードをもぐりこませる作業を行う。
【００１１】
前述の問題を解決するため、請求項２の考案は、ステンドグラス模様の図柄が印刷された型紙と、裏面に前記型紙を密着できる形状のガラス製又はプラスチック製の透明体（平面又は立体形状の物を含む）と、可撓性のリードと、色の異なる複数のフィルムを備え、前記リードの底面及びプリントフィルムの裏面には、離型紙を剥離することで露呈する粘着層が形成され、前記型紙に印刷された図柄中には、複数に分割されて図示された図柄の輪郭に前記リードを貼り付ける手順が印刷されている。
【００１２】
（作用）ステンドグラス風アート作成キットの利用者は、好みの色のフィルムを選択し、型紙の模様に従って型取りを行う。フィルムの型取り以外は請求項１と同じ作用を奏する。
【００１３】
前述の問題を解決するため、請求項３の考案は、ステンドグラス模様の図柄が印刷された紙と、可撓性のリードと、前記図柄に対応した絵模様が印刷されたプリントフィルムを備え、前記リードの底面及びプリントフィルムの裏面には、離型紙を剥離することで露呈する粘着層が形成され、前記紙に印刷された図柄中には、複数に分割されて図示された図柄の輪郭に前記リードを貼り付ける手順が印刷されている。
【００１４】
（作用）ステンドグラス風アート作成キットの利用者は、ステンドグラス模様と、リードを貼り付ける手順が記載された紙をステンドグラス風アートを形成する対象物の横に置き、型取りしたプリントフィルムの貼り付け位置とリードの貼り付け手順を確認しながら、前記対象物上にステンドグラス風アートを形成していく。
【００１５】
前述の問題を解決するため、請求項４の考案は、ステンドグラス模様の図柄が印刷された紙と、可撓性のリードと、色の異なる複数のフィルムを備え、前記リードの底面及び色の異なる複数のフィルムの一面には、離型紙を剥離することで露呈する粘着層が形成され、前記型紙に印刷された図柄中には、複数に分割されて図示された図柄の輪郭に前記リードを貼り付ける手順が印刷されていることを特徴とするステンドグラス風アート作成キット。
【００１６】
（作用）ステンドグラス風アート作成キットの利用者は、好みの色のフィルムを選択し、型紙の模様に従って型取りを行う。フィルムの型取り以外は請求項３と同じ作用を奏する。
【００１７】
前述の問題を解決するため、請求項５の考案は、請求項１から４のいずれかに記載のステンドグラス組み立てキットであって、前記リードは、その横断面が半円形状に形成された金属線材により構成される。
【００１８】
（作用）ステンドグラス模様の輪郭は、丸みが有って、ソフトな印象の立体形状に形成される。
【考案の効果】
【００１９】
請求項１の考案により、（ａ）ステンドグラス模様を構成する素材（本願ではプリントフィルム）の型取りが誰にでも容易に出来る。また、リードは、底面に粘着層を形成しただけの単純な構造であるため、模様の輪郭を強調する枠体が安価に作成できる。（ｂ）透明体上にステンドグラス模様と貼り付け手順が浮かび上がるため、本願ステンドグラス風アートの利用者は、前記貼り付け手順に従い、透明体に浮かび上がった模様の上に型取りしたプリントフィルムとリードを貼り付けていくことにより、誰でも手軽かつ迅速に型紙の模様と同一のステンドグラス風アートを作成することが出来る。（ｃ）リードの貼り付け手順に従う事により、特に、リードの交差箇所において『一度貼付した片方のリードを持ち上げた状態で、もう片方のリードをそのリードの下にもぐりこませる作業』という手間のかかる回数が最小限に抑えられる。（ｄ）型紙の印刷模様にバリエーションをもたせれば、様々な模様のステンドグラス風アートが、誰にでも手軽に作成出来る。
【００２０】
請求項２の考案により、ステンドグラス風アート作成キットの利用者は、誰でも模様を構成する色彩を自由に選択し、好みのステンドグラス風アートをデザインし、透明体上に迅速かつ容易に作成する事が出来る。
【００２１】
請求項３の考案により、ステンドグラス風アート作成キットの利用者は、誰でも紙に印刷された模様とリードの貼り付け手順に従えば、透明体でない鏡やブリキ製のジョウロ等の表面上にもステンドグラス風アートを容易かつ迅速に形成することが出来る。
【００２２】
請求項４の考案により、ステンドグラス風アート作成キットの利用者は、誰でも模様を構成する色彩を自由に選択し、好みのステンドグラス風アートをデザインし、透明体以外の対象物の表面上に容易かつ迅速に作成する事が出来る。
【００２３】
請求項５の考案により、ステンドグラス模様の輪郭が一層強調され、立体感かつ高級感のある本格的ステンドグラス風アートが作成できる。
【考案を実施するための最良の形態】
【００２４】
以下、図面１〜８を参照して本願考案の好適な実施形態（実施例１から３）について説明する。
【００２５】
図１から図３は、実施例１のステンドグラス風アート作成キットの構成物を表す説明図であって、図１（ａ）は、本実施例においてプリントフィルムの配置位置とリードの貼り付け手順が記載された型紙を表す説明図、図１（ｂ）は、型取りしたプリントフィルムを表す説明図、図２（ａ）は、アクリル板を表す説明図、図２（ｂ）は、プリントフィルムを表す説明図、図３（ａ）は、複数の着色フィルムを表す説明図、図３（ｂ）は、リードを表す説明図、図４は、実施例２の説明図であって、（ａ）図は、立体形状の透明体に密着させる型紙を表す説明図、（ｂ）図は、実施例１のアクリル板に替えて立体形状の透明体の説明図、図５は、プリントフィルムとリードを貼り付けた状況の説明図であって、（ａ）図は、貼付概要の説明図、（ｂ）及び（ｃ）図は、リードが交差する状況の説明図、図６は、アクリル板上に貼り附けたリードの下に別のリードを潜り込ませる状況の説明図であって、（ａ）図は、型紙上の記号の説明図、（ｂ）から（ｄ）図は潜り込ませる手順の説明図、図７は、ボーニングペグとリード断面の関係を表す説明図であって、（ａ）図は、ボーニングペグの使用状況の説明図、（ｂ）図はリード断面のバリエーション説明図、図８は、完成後の実施例１のステンドグラス風アートを表す正面図である。
【００２６】
まず、実施例１に係るステンドグラス風アート作成キットは、図１（ａ）に示される型紙２０、図２及び図３の各図にそれぞれ示される透明のアクリル板３０、ステンドグラスの模様が印刷されたプリントフィルム４０（又は複数の着色フィルム４０’）及びステンドグラスの模様の輪郭を縁取るリード５０から構成される。
【００２７】
図１（ａ）に示す型紙２０には、型取りしたプリントフィルム４０及びリード５０のアクリル板３０上への貼付位置を表した輪郭２１が印刷されている。また、輪郭２１上には、リード５０の貼り始め又は貼り終わり位置を表すマーク（２３から２６）が一対の状態で複数箇所印刷され、輪郭２１は、前記一対のマーク（２３から２６のうちいずれか）を両端として複数の区画に分割されている。また、区画に分割された輪郭２１の上には、リード５０の貼り付け順序を記した複数の丸番号２２印刷されている。
【００２８】
尚、リードエンドマーク２３（二重丸）は、分割された輪郭２１の両端で同じものが使用され、いずれか一方のマーク２３からリード５０を貼り始め、他方のマーク２３で貼り終わりとすることを示している。また、貼り始めマーク２４（白丸）と貼り終わりマーク２５（黒丸）は、一対で記載され、貼り始めマーク２４からリードを貼り始め、貼り終わりマーク２５でリードを貼り終えることを示している。また、潜り位置マーク２６は、貼り始めマーク２４と一対で使用され、リード５０同士が交差する位置において、リードを貼り付ける順序の関係上、アクリル板３０上に既に貼付したリード５０を持ち上げて、その下に別のリード５０を潜り込ませる必要がある位置を表している。また、型紙２０には、各マーク（記号）の見方表２７、位置決め用にアクリル板３０の外周縁部と同形状の輪郭２８、つり紐を通す孔の形成位置２９が、それぞれ印刷されている。
【００２９】
また、図２（ａ）に示すアクリル板３０は、プリントフィルム４０とリード５０を貼り付けるベースとなるものであって、アクリル板３０越しに型紙上の輪郭２１が見えるような透明性を備えている。
【００３０】
図２（ｂ）に示すプリントフィルム４０は、例として４１ａ及び４１ｂのように、表面に型紙２０上の輪郭２１に対応（図１（ｂ）を参照）した模様及び色分けが印刷され、裏面には、離型紙を剥離することで露呈する粘着層４３が形成されている（図５（ｃ）を参照）。
【００３１】
また、図３（ａ）に示すのは、プリントフィルム４０の代わりに利用する色の異なる複数の着色フィルム４０’である。フィルム４０’の裏面には、剥離する離型紙付きの粘着層４３が形成されている（図５（ｃ）を参照）。
【００３２】
図３（ｂ）に示すリード５０は、型紙２０上に分割されて印刷された輪郭２１の長さに併せて容易に切断可能であって輪郭２１の形状にそって曲げられる一定の柔軟性を持つ鉛で出来ており、底面には、離型紙を剥離することで露呈する粘着層５３（図５（ｃ）を参照）が形成されている。
【００３３】
尚、実施例２に係るステンドグラス風アート作成キットの構成として、図４（ｂ）に示すように、実施例１のアクリル板３０に替えて、透明なアクリル製の容器３０’を備えたものが考えられる。
【００３４】
一方、実施例３に係るステンドグラス風アート作成キットの構成は、ステンドグラス風アートの作成対象物を透明でない物にすることが考えられる。即ち、実施例１におけるアクリル板３０に替えて鏡や木の板等（図示せず）を備えるキットとし、又は、実施例２におけるアクリル製の容器３０’に替えて、木製の容器やブリキ製のジョウロを備えるキットとすることが考えられる。
【００３５】
各実施例におけるステンドグラス風アート作成キットの利用方法について説明する。まず、実施例１においては、アクリル板３０を型紙２０に印刷された輪郭２８に合わせて配置する（図１及び図５（ａ）を参照）。実施例２においては、図４各図に示すように、型紙２０を模様の印刷面２０ａを外側に向けて丸めて容器３０’の内部へ挿入し、容器３０’の内周面に型紙２０の印刷面２０ａを密着させる。
【００３６】
次に、ハサミやカッター等により、プリントフィルム４０に印刷されたステンドグラス模様を輪郭４２に沿って切り取って型取りする（図２（ｂ）参照）。又は、図３（ａ）に示す着色フィルム４０’の中から好みの色の物を選び、型紙２０上に印刷されたそれぞれの模様の輪郭２１に合わせて型取りする。尚、アクリル板３０とアクリル製の容器３０’は、予めフィルムとリードの貼付面に付着した油分を布等で十分にふき取っておく。
【００３７】
次に、実施例１及び２については、型取りしたプリントフィルム４１ａ（４１ｂ）又は着色フィルム４０’の裏面から剥離紙（図示せず）を剥がして粘着層４３を露出させ、アクリル板３０又は容器３０’越しに型紙２０の模様を確認しつつ、貼付面に表れた模様の上から、貼付面との間に空気が入らないように留意しながら貼付する（図１、図５（ａ）（ｃ）参照）。
【００３８】
リード５０は、マーク２３から２６により分割された輪郭２１の区画に対応したそれぞれの長さに切断する。そして、プリントフィルム４１ａ又は４１ｂを貼付した後、切断したリード５０の底面から剥離紙（図示せず）を剥がして粘着層５３を露出させ、貼付面に表れた貼付け手順、即ち、前記区画毎に印刷された丸番号２２の順番（１から８）に従い、アクリル板３０又は容器３０’上に表れた輪郭２１の各区画上に貼付していく（図１及び図５（ａ）を参照）。尚、同じ丸番号が印刷されている区画（図１（ａ）においては丸１が６箇所）については、同じ丸番号が印刷された区画については、リード５０をどの区画から貼付しても良いが、必ず丸１の区画にリード５０を全て貼付し終えてから丸２の区画に貼付するようにする。
【００３９】
例えば、図５（ａ）の場合、まずリード５０ａを図中右と左の丸１の位置にそれぞれ貼付し、その後リード５０ｂを丸２の位置に貼付する。図５（ａ）右下のようにリード５０ａ及び５０ｂが交差する部分については、図５（ｂ）（ｃ）に示すように、リード５０ａの先端が、リード５０ｂの長手方向中心付近に位置するようにリード５０ａの上からリード５０ｂを被せて密着させる。
【００４０】
また、図６（ａ）に示すように潜り位置マーク２６が印刷された箇所については、図６（ｂ）から（ｄ）の一連の図に示すように、アクリル板３０又は容器３０’（図示せず）上に既に貼付したリード５０ｄをリード５０ｃと交差させる位置においてピンセット６０等で剥がしながら上に持ち上げ、リード５０ｃを持ち上げた隙間に潜り込ませ（リード５０ｄの幅方向半分くらいの深さまで潜り込ませる）、持ち上げたリード５０ｄを下に降ろす。以上のように、リード５０を丸番号２２の１から８の順番でアクリル板３０上又は容器３０’上に貼付していく。
【００４１】
その後、図７に示すように、先端形状がリード５０の外周面と一致するように形成されたボーニングペグ６１を用いて、アクリル板３０に貼付したリード５０を上から押し付けて密着度を高めていく。特に、リード５０同士の交差位置５１は、図５（ｃ）に示すようにリード間の隙間が出来るだけ少なくなるように、ボーニングペグ６１でよく押し付ける。
【００４２】
以上の作業により、図８に示すようなステンドグラス風アートが形成される。尚、型紙２０の孔位置２９に応じたつり紐用孔３１を穿設し、つり紐３２をかければ壁掛け用の装飾品として使用できる。
【００４３】
ここで、実施例３におけるステンドグラス風アート作成キットの利用方法について説明する。まず、型紙２０に印刷された模様に併せてプリントフィルム（４１ａ，４１ｂ）又は着色フィルム４０’を型取りする。型紙２０は、フィルム（４１ａ，４１ｂ，４０’）及びリード５０を貼付する対象物となる鏡や木製の容器等の近くに置いておく。次に、フィルム裏面の離型紙を剥離して粘着層４３を露出させ、型紙２０の印刷模様と前記貼付対象物の貼付面を見比べながら、貼付面に対して型紙２０の印刷模様と等しくなるようにフィルム（４１ａ，４１ｂ，４０’）を貼付する。
【００４４】
リード５０は、実施例１及び２と同様に型紙２０の印刷模様中における輪郭２１の区画に対応したそれぞれの長さに切断する。切断したリード５０は、フィルム（４１ａ，４１ｂ，４０’）の貼付後、離型紙を剥離して粘着層５３を露出させ、型紙２０に印刷されたリードの貼り付け手順に従い、型取りしたフィルム（４１ａ，４１ｂ，４０’）において対応する外縁及び色の境界線に貼付する。このようにして透明でない貼付対象物の表面にもステンドグラス風アートを作成する事が出来る。
【００４５】
尚、型紙２０上の記号の見方表２７は、型紙２０上に記載せず別紙としても良い。また、実施例１において、型紙２０の外形をアクリル板３０の外形と一致させ、両外形同士で位置決めを行う場合や実施例２においては、輪郭２８の記載は不要となる。
【００４６】
ここで、実施例１では、フィルム（４１ａ，４１ｂ，４０’）とリード５０を貼り付けるベース板に透明なアクリル板３０を使用しているが、型紙２０の上に置いた状態でフィルム（４１ａ，４１ｂ，４０’）やリード５０の貼付位置となる型紙の模様が識別出来るものであれば、透明又は半透明のプラスチック板やガラス板を用いることも考えられる。また、実施例２では、図４（ｂ）に示すように透明な円筒形状の容器３０’を使用しているが、立体形状の透明体は、フィルム（４１ａ，４１ｂ，４０’）及びリード５０の貼付面の裏面に型紙２０を密着させることの出来る形状であれば角柱形状など様々な形状の物が使用でき円筒形状に限られない。また、実施例１と同様にプラスチック製やガラス製の立体形状の透明体や半透明体を用いることも考えられる。
【００４７】
また、プリントフィルム４０は、実施例１及び２では、色彩が印刷された面が光を透過出来るように印刷する点に留意する。更に、インクジェットプリンタで印刷した場合のように、印刷面への模様及び色彩の定着性が弱く、使用時に模様などの剥離が考えられる場合には、必要に応じて印刷面に保護フィルム（図示せず）を貼付することが望ましい。
【００４８】
リード５０は、鉛をそのまま利用して模様の輪郭を地色にする他、金色、銀色、黒等好みの色に着色して使用しても良い。また、リード５０の素材は、型紙２０の模様に従って任意の長さに容易に切断出来、かつ交差する位置におけるリード５０同士が柔軟に密着出来るものであれば足りる、従って、鉛以外には、可撓性を備えた金属材料、樹脂、ゴム等を使用する事が考えられる。尚、リードの断面５２とボーニングペグ６１の先端形状は、図７（ａ）に示すような半円形状に限らず、図７（ｂ）に示す台形断面５２ａとすることや長方形など（図示せず）の四角形とすることも出来る。
【図面の簡単な説明】
【００４９】
【図１】本考案の各実施例に係るステンドグラス風アート作成キットの構成物を表す説明図である。  （ａ）透明体に密着させるリードの貼付手順等が記載された型紙の説明図。  （ｂ）型取りしたプリントフィルムを表す説明図。
【図２】図１に引き続き作成キットの構成物を表す説明図である。  （ａ）アクリル板を表す説明図。  （ｂ）プリントフィルムを表す説明図。
【図３】図２に引き続き作成キットの構成物を表す説明図である。  （ａ）複数の着色フィルムを表す説明図。  （ｂ）リードを表す説明図
【図４】実施例２の説明図である。  （ａ）立体形状の透明体に密着させる型紙の説明図。  （ｂ）実施例１のアクリル板に替えて使用する立体形状の透明体の説明図。
【図５】プリントフィルムとリードを貼り付けた状況の説明図である。  （ａ）貼付概要の説明図。  （ｂ）リードが交差する状況を表す上面図。  （ｃ）リードが交差する状況を表すＡ−Ａ’断面図。
【図６】貼付したリードの下に別のリードを潜り込ませる状況の説明図である。  （ａ）型紙に印刷された記号の説明図。  （ｂ）〜（ｄ）は、潜り込ませる手順の説明図。
【図７】リードの断面形状とボーニングペグの説明図。  （ａ）ボーニングペグの使用状況の説明図。  （ｂ）リードの断面形状のバリエーション説明図。
【図８】完成後の実施例１のステンドグラス風アートを表す正面図。
【図９】特許文献１のステンドグラス風アートを表す説明図。  （ａ）外観を表す説明図。  （ｂ）（ａ）図中のII−II断面図。
【図１０】特許文献２のステンドグラス風アートを表す説明図。  （ａ）着色樹脂板３ａを多数組み合わせたものの説明図。  （ｂ）絵模様を描出させた着色フィルム６を使用したものの説明図。
【符号の説明】
【００５０】
２０    型紙
２１    輪郭
２２    丸番号
２３    リードエンドマーク
２４    貼り始めマーク
２５    貼り終わりマーク
２６    潜り位置マーク
３０    アクリル板
３０’  立体形状の透明体
４０    プリントフィルム
４０’  着色フィルム
４３    粘着層
５０    リード
５２    リード断面（半円形）
５３    粘着層
【図１】
0003121559.tif 000003
【図２】
0003121559.tif 000004
【図３】
0003121559.tif 000005
【図４】
0003121559.tif 000006
【図５】
0003121559.tif 000007
【図６】
0003121559.tif 000008
【図７】
0003121559.tif 000009
【図８】
0003121559.tif 000010
【図９】
0003121559.tif 000011
【図１０】
0003121559.tif 000012